(57)【要約】【課題】煩雑な認証操作を行うことなく使用を制限することが可能なプロジェクタ及び画像投写システムを提供する。【解決手段】プロジェクタ２に商用電源が供給されると、制御部２０は、記憶部２１から登録ＩＤを読み出し、この登録ＩＤを付した認証要求をネットワーク通信部２７からサーバに出力する。認証が成立した場合には、制御部２０は、電源回路２５に指示をして動作電力の供給を開始させてプロジェクタ２を電源オンの状態に移行させ、さらに、光源制御部２６に指示をして光源１１を点灯させる。この結果、画像入力部２３或いはネットワーク通信部２７に入力される画像情報に応じた画像（入力画像）が画像投写部１０から投写される。一方、認証が成立しなかった場合には、プロジェクタ２を電源オンの状態に移行させることができず、プロジェクタ２の使用、即ち画像の投写が制限される。【選択図】図２
2009098482.tif 000002
【特許請求の範囲】
【請求項１】
画像を投写するプロジェクタであって、
ネットワークを介して通信を行うネットワーク通信部と、
当該プロジェクタの認証に用いられる認証情報を記憶する記憶部と、
前記ネットワークに接続されている認証サーバに対して、前記ネットワーク通信部から前記認証情報を出力し、前記認証情報に基づく認証を要求する認証情報出力部と、
前記認証サーバによる認証結果に基づいて前記画像の投写を制限する投写制御部と、
を備えたことを特徴とするプロジェクタ。
【請求項２】
請求項１に記載のプロジェクタであって、
前記認証情報出力部は、前記画像の投写に先立って前記認証情報を出力し、
前記投写制御部は、前記認証サーバによる当該プロジェクタの認証が成立した場合に、前記画像の投写を開始させることを特徴とするプロジェクタ。
【請求項３】
請求項１又は２に記載のプロジェクタであって、
前記認証情報出力部は、当該プロジェクタが前記画像を投写している間に前記認証情報を出力し、
前記投写制御部は、前記認証サーバによる当該プロジェクタの認証が不成立の場合に、前記画像の投写を停止させることを特徴とするプロジェクタ。
【請求項４】
画像を投写するプロジェクタと、
前記プロジェクタとネットワーク接続され、前記プロジェクタの認証を行う認証サーバと、
を備えた画像投写システムであって、
前記プロジェクタは、
前記ネットワークを介した通信を行うネットワーク通信部と、
当該プロジェクタの認証に用いられる認証情報を記憶する記憶部と、
前記認証サーバに対して、前記ネットワーク通信部から前記認証情報を出力し、前記認証情報に基づく認証を要求する認証情報出力部と、
前記認証サーバによる認証結果に基づいて前記画像の投写を制限する投写制御部と、
を備えたことを特徴とする画像投写システム。
【発明の詳細な説明】
【技術分野】
【０００１】
本発明は、画像を投写するプロジェクタ及び画像投写システムに関する。
【背景技術】
【０００２】
画像を投写するプロジェクタにおいて、第三者による不正使用を防止するために、所定の認証操作が行われた場合にのみ使用可能となるプロジェクタ（投射装置）が提案されている（例えば、特許文献１参照）。このようなプロジェクタを使用するためには、装置本体に備わる操作部や、装置本体を遠隔操作するためのリモコンに対して、所定のシーケンスの操作（例えば、暗証番号の入力操作等）を行う必要がある。
【０００３】
【特許文献１】特開２００５−３３８６０４号公報
【発明の開示】
【発明が解決しようとする課題】
【０００４】
しかしながら、上記のようなプロジェクタでは、第三者による不正使用が防止できる一方で、プロジェクタを起動する度に認証操作を行わなければならないため、ユーザに煩わしさを感じさせてしまうという問題を有している。このため、認証操作を行わせることによって不正使用を防止可能な機能を有しながら、この機能を無効に設定した状態で使用される場合も多く、この場合には、プロジェクタは不正使用や盗難に対して無防備な状態になってしまう。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクタは、画像を投写するプロジェクタであって、ネットワークを介して通信を行うネットワーク通信部と、当該プロジェクタの認証に用いられる認証情報を記憶する記憶部と、前記ネットワークに接続されている認証サーバに対して、前記ネットワーク通信部から前記認証情報を出力し、前記認証情報に基づく認証を要求する認証情報出力部と、前記認証サーバによる認証結果に基づいて前記画像の投写を制限する投写制御部と、を備えたことを特徴とする。
【０００７】
このプロジェクタによれば、認証情報出力部が、記憶部に記憶されている認証情報をネットワークを介して認証サーバに出力し、投写制御部が、認証サーバによる認証結果に基づいてプロジェクタの画像の投写を制限するため、煩雑な認証操作を行うことなく、プロジェクタの使用を制限することが可能となる。
【０００８】
［適用例２］上記適用例に係るプロジェクタにおいて、前記認証情報出力部は、前記画像の投写に先立って前記認証情報を出力し、前記投写制御部は、前記認証サーバによる当該プロジェクタの認証が成立した場合に、前記画像の投写を開始させることが望ましい。
【０００９】
このプロジェクタによれば、認証情報出力部が、画像の投写に先立って認証情報を認証サーバに出力し、認証サーバによる認証が成立した場合に、投写制御部が画像の投写を開始させるため、認証サーバにアクセスできない環境下では、画像の投写を開始させることができない。つまり、プロジェクタを使用可能な環境が制限されることになるため、プロジェクタの不正使用や盗難を防止することが可能となる。
【００１０】
［適用例３］上記適用例に係るプロジェクタにおいて、前記認証情報出力部は、当該プロジェクタが前記画像を投写している間に前記認証情報を出力し、前記投写制御部は、前記認証サーバによる当該プロジェクタの認証が不成立の場合に、前記画像の投写を停止させるようにしてもよい。
【００１１】
このプロジェクタによれば、画像を投写している間に、認証情報出力部が認証情報を認証サーバに出力し、認証サーバによる認証が不成立の場合に、投写制御部が画像の投写を停止させるため、認証サーバにアクセスできない環境下では、画像の投写を継続することができない。つまり、プロジェクタを継続して使用可能な環境が制限されることになるため、プロジェクタの不正使用や盗難を防止することが可能となる。
【００１２】
［適用例４］本適用例に係る画像投写システムは、画像を投写するプロジェクタと、前記プロジェクタとネットワーク接続され、前記プロジェクタの認証を行う認証サーバと、を備えた画像投写システムであって、前記プロジェクタは、前記ネットワークを介した通信を行うネットワーク通信部と、当該プロジェクタの認証に用いられる認証情報を記憶する記憶部と、前記認証サーバに対して、前記ネットワーク通信部から前記認証情報を出力し、前記認証情報に基づく認証を要求する認証情報出力部と、前記認証サーバによる認証結果に基づいて前記画像の投写を制限する投写制御部と、を備えたことを特徴とする。
【００１３】
この画像投写システムによれば、認証情報出力部が、記憶部に記憶されている認証情報をネットワークを介して認証サーバに出力し、投写制御部が、認証サーバによる認証結果に基づいてプロジェクタの画像の投写を制限するため、煩雑な認証操作を行うことなく、プロジェクタの使用を制限することが可能となる。
【発明を実施するための最良の形態】
【００１４】
以下、本実施形態のプロジェクタ、及びこのプロジェクタを備えた画像投写システムについて説明する。本実施形態のプロジェクタは、入力される画像情報に基づく画像（入力画像）を投写して、スクリーンや壁面等にこの入力画像を表示するものである。
【００１５】
図１は、本実施形態の画像投写システムの概略構成を示す説明図である。
図１に示すように、画像投写システム１は、少なくとも１台（図では３台）のプロジェクタ２と、サーバ３とを有しており、これらは、ＬＡＮ（Local Area Network）等のネットワーク４を介して接続されている。プロジェクタ２には、パーソナルコンピュータ等の画像出力装置５から、投写すべき画像の画像情報が入力される。画像出力装置５は、映像ケーブル６を介してプロジェクタ２に接続され、このプロジェクタ２に画像情報を出力する。また、画像出力装置５がネットワーク４に接続されている場合には、画像出力装置５は、ネットワーク４を介して、ネットワーク４に接続されている特定のプロジェクタ２に画像情報を出力することができる。また、サーバ３は、ネットワーク４に接続されているプロジェクタ２の認証を行う認証サーバとして機能するものであり、プロジェクタ２は、サーバ３による認証が成立した場合にのみ画像を投写することが可能となる。
【００１６】
図２は、プロジェクタ２の概略構成を示すブロック図である。
図２に示すように、プロジェクタ２は、画像投写部１０、制御部２０、記憶部２１、入力操作部２２、画像入力部２３、画像処理部２４、電源回路２５、光源制御部２６、ネットワーク通信部２７、シリアル通信部２８、ＬＥＤ表示部２９等で構成されている。
【００１７】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像（画像光）を形成し、この画像を投写レンズ１３から投写してスクリーンＳＣ等に表示する。
【００１８】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００１９】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。形成された各色の画像光は、図示しない色合成光学系によって画素毎に合成されてカラー画像を表す画像光となった後、投写レンズ１３によってスクリーンＳＣ等に拡大投写される。
【００２０】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ２の動作を統括制御する。つまり、制御部２０は、記憶部２１とともにコンピュータとして機能する。
【００２１】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ２の動作を制御するための制御プログラムや、プロジェクタ２の動作条件等を規定する各種設定データ等が記憶されている。本実施形態の記憶部２１には、ネットワーク４に接続するためのネットワーク設定情報（自己のＩＰアドレスやサーバ３のＩＰアドレス等）、サーバ３によって認証を受けるために必要な登録ＩＤ、これら設定データを変更する際に必要となる暗証番号等が記憶されている。なお、登録ＩＤとは、プロジェクタ２の個体を識別するための識別子であり、ＭＡＣ（Media Access Control）アドレス等で代用することも可能である。
【００２２】
入力操作部２２は、ユーザがプロジェクタ２に対して各種指示を行うための複数の操作キーを備えており、各操作キーに対する入力操作を受け付ける。入力操作部２２が備える操作キーとしては、電源のオン・オフを切り替えるための「電源キー」、各種設定を行うための設定メニューを表示させる「メニューキー」、画像情報の供給元を切り替える「ソース切替キー」等がある。ユーザが入力操作部２２の各種操作キーを操作すると、入力操作部２２は、ユーザの操作内容に応じた操作信号を制御部２０に出力する。なお、入力操作部２２として、遠隔操作が可能なリモコン（図示せず）を用いた構成としてもよい。この場合、リモコンは、ユーザの操作内容に応じた赤外線の操作信号を発信し、図示しないリモコン信号受信部がこれを受信して制御部２０に伝達する。
【００２３】
画像入力部２３には、外部の画像出力装置５と映像ケーブル６を介した接続を行うための接続端子（図示せず）が備えられており、画像出力装置５から各種形式の画像情報が入力される。画像入力部２３は、入力された画像情報を画像処理部２４に出力する。
【００２４】
画像処理部２４は、画像入力部２３或いはネットワーク通信部２７から入力される各種形式の画像情報を、液晶ライトバルブ１２Ｒ，１２Ｇ，１２Ｂの各画素の階調を表す画像情報、即ち各画素に印加する駆動電圧を規定するための画像情報に変換する。さらに、制御部２０の指示に基づいて、変換した画像情報に対して、明るさ、コントラスト、シャープネス、色合い等の画質を調整するための処理や、入力画像上に設定メニュー等を重畳させるための処理等を行う。画像処理部２４で画質調整等がなされた画像情報は、ライトバルブ駆動部１４に出力される。
【００２５】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像（画像光）を形成し、この画像が投写レンズ１３からスクリーンＳＣに投写される。
【００２６】
電源回路２５には、外部からＡＣ１００Ｖ等の商用電源が供給される。電源回路２５は、商用電源（交流電源）を所定の電圧の直流電源に変換して、プロジェクタ２の各部に電力を供給する。なお、制御部２０は、電源回路２５から電力の供給を受けて動作している間、電源回路２５に指示をして、各部に対する動作電力（画像の投写に必要な電力）の供給と停止とを切り替えることができる。
【００２７】
光源制御部２６は、制御部２０の指示に基づいて、光源１１に対する電力の供給と停止とを制御し、光源１１の点灯及び消灯を切り替える。
【００２８】
ネットワーク通信部２７は、ネットワーク４に接続可能な通信インターフェイスであり、制御部２０は、ネットワーク通信部２７を介して、ネットワーク４に接続された外部の装置（サーバ３や画像出力装置５等）との間でデータ通信を行うことができる。なお、投写すべき画像の画像情報がネットワーク４を介して入力された場合には、ネットワーク通信部２７は、この画像情報を画像処理部２４に出力する。
【００２９】
シリアル通信部２８は、ＵＳＢ（Universal Serial Bus）・ＴｙｐｅＢ端子を備えたＵＳＢインターフェイスである。シリアル通信部２８には、図示しないＵＳＢケーブルを介してパーソナルコンピュータ等のホスト機器が接続可能であり、制御部２０は、このシリアル通信部２８を介してホスト機器との間でＵＳＢ規格に基づいたデータ通信を行うことができる。ユーザは、記憶部２１に記憶されている各種設定データを変更する際、シリアル通信部２８にホスト機器を接続することにより、設定データの変更をホスト機器から行うことができる。
【００３０】
ＬＥＤ表示部２９は、複数のＬＥＤ（発光ダイオード）からなるインジケータであり、制御部２０の指示に基づいてその点灯状態を切り替えることにより、ユーザにプロジェクタ２の動作状態（例えば、電源のオン・オフ、エラーの発生）等を報知する。なお、ＬＥＤ表示部２９は、ＬＥＤの点灯状態、即ちＬＥＤの点灯、点滅、消灯、発光色等を適宜切り替えることによって、多数の動作状態を表すことが可能になっている。
【００３１】
次に、サーバ３の構成について説明する。
図３は、サーバ３の概略構成を示すブロック図である。
図３に示すように、サーバ３は、コンピュータによって構成され、制御部３０と、記憶部３１と、ネットワーク通信部３２とを備えている。
【００３２】
制御部３０は、ＣＰＵやＲＡＭ等を備え、記憶部３１に記憶されている認証プログラムに従って動作することにより、ネットワーク４に接続されているプロジェクタ２の認証を行う。
【００３３】
記憶部３１は、ハードディスク装置等よって構成されている。記憶部３１には、プロジェクタ２を認証するための認証プログラムや、認証すべきプロジェクタ２の登録ＩＤの一覧（登録ＩＤリスト）が予め記憶されている。なお、登録ＩＤリストは随時更新可能であり、ユーザは、図示しないキーボード等の入力手段を用いて、新たな登録ＩＤを登録ＩＤリストに追加したり、既存の登録ＩＤを登録ＩＤリストから削除したりすることができる。
【００３４】
ネットワーク通信部３２は、ネットワーク４に接続可能な通信インターフェイスであり、制御部３０は、このネットワーク通信部３２を介し、ネットワーク４に接続された外部の装置（プロジェクタ２等）との間でデータ通信を行うことができる。
【００３５】
次に、プロジェクタ２及びサーバ３の動作について説明する。
プロジェクタ２に商用電源が供給されると、電源回路２５は、制御部２０、記憶部２１、入力操作部２２、ネットワーク通信部２７、シリアル通信部２８、及びＬＥＤ表示部２９に電力（スタンバイ電力）の供給を行い、制御部２０は、この電力供給を受けて、制御プログラムに従った動作を開始する。商用電源が供給された直後には、プロジェクタ２は、スタンバイ状態（電源オフの状態ともいう）であり、この状態では、制御部２０は、入力操作部２２に備わる電源キーの操作（オン操作）を待機する。
【００３６】
図４は、ユーザによりオン操作がなされた際のプロジェクタ２の動作を説明するためのフローチャートである。スタンバイ状態において、入力操作部２２がオン操作を受け付けると、プロジェクタ２は、図４に示すフローに従って動作する。
【００３７】
図４に示すように、ステップＳ１０１では、制御部２０は、以降の動作を行うために必要な各種初期化処理を行う。この初期化処理には、ネットワーク通信に関する初期化処理も含まれており、制御部２０は、記憶部２１に記憶されているネットワーク設定情報（自己のＩＰアドレス等）を読み出して、読み出したネットワーク設定情報をネットワーク通信部２７に設定する。これにより、ネットワーク通信部２７は、ネットワーク４を介したデータ通信が可能な状態となる。なお、ネットワーク４にＤＨＣＰ（Dynamic Host Configuration Protocol）サーバが接続されている場合には、設定すべきネットワーク設定情報として、ＤＨＣＰサーバによって動的に割り当てられるＩＰアドレス等を用いることもできる。
【００３８】
続くステップＳ１０２では、制御部２０は、シリアル通信部２８にホスト機器が接続されているか否かを判断する。この結果、ホスト機器が接続されている場合には、ステップＳ１０８に移行し、ホスト機器が接続されていない場合には、ステップＳ１０３に移行する。
【００３９】
ステップＳ１０３に移行した場合には、制御部２０は、サーバ３に対して自己（プロジェクタ２）の認証を要求する。具体的には、制御部２０は、記憶部２１から登録ＩＤを読み出し、この登録ＩＤを付した認証要求をネットワーク通信部２７からサーバ３に出力する。
【００４０】
図５は、サーバ３の動作を説明するためのフローチャートである。サーバ３は、認証プログラムに従って動作している間、プロジェクタ２からの認証要求を待機しており、プロジェクタ２からの認証要求を受け付けると、図５に示すフローに従って動作する。
【００４１】
図５に示すように、ステップＳ２０１では、制御部３０は、認証要求に付されている登録ＩＤに基づいて、この認証要求を出力したプロジェクタ２の認証を行う。具体的には、制御部３０は、記憶部３１から登録ＩＤリストを読み出して、プロジェクタ２から入力された登録ＩＤが登録ＩＤリストに含まれているか否かを判断する。この結果、入力された登録ＩＤが登録ＩＤリストに含まれている場合にはステップＳ２０２に移行し、含まれていない場合にはステップＳ２０３に移行する。
【００４２】
ステップＳ２０２，Ｓ２０３に移行した場合には、制御部３０は、認証を要求したプロジェクタ２に対して、認証結果を応答してフローを終了する。具体的には、ステップＳ２０２に移行した場合には、認証が成立した旨の応答を行い、ステップＳ２０３に移行した場合には、認証が不成立である旨の応答を行う。このフローが終了すると、制御部３０は、プロジェクタ２からの認証要求を待機する状態に復帰する。
【００４３】
図４に戻って、ステップＳ１０４では、プロジェクタ２の制御部２０は、認証が成立したか否か、即ち認証が成立した旨の応答をサーバ３から受け取ったか否かを判断する。この結果、認証が成立した旨の応答を受け取った場合にはステップＳ１０５に移行し、認証が成立しなかった場合にはステップＳ１０７に移行する。なお、認証が成立しなかった場合とは、認証が不成立である旨の応答をサーバ３から受け取った場合のほかに、ネットワーク４の接続の不備や通信障害等により、所定時間内に応答がなかった場合も含む。
【００４４】
認証が成立してステップＳ１０５に移行した場合には、制御部２０は、電源回路２５に指示をして動作電力の供給を開始させてプロジェクタ２を電源オンの状態に移行させ、続くステップＳ１０６では、制御部２０は、光源制御部２６に指示をして光源１１を点灯させてフローを終了する。この結果、画像入力部２３或いはネットワーク通信部２７に入力される画像情報に応じた画像（入力画像）が画像投写部１０から投写される。
【００４５】
一方、認証が成立せずにステップＳ１０７に移行した場合には、制御部２０は、ＬＥＤ表示部２９の点灯状態を、例えば赤色で点滅する状態にして、認証が不成立である旨（認証エラー）を報知する。制御部２０は、認証エラーを所定時間報知した後、スタンバイ状態のままフローを終了する。このように、サーバ３による認証が不成立の場合には、ユーザは、プロジェクタ２を電源オンの状態に移行させることができず、プロジェクタ２の使用、即ち画像の投写が制限される。
【００４６】
ステップＳ１０２において、シリアル通信部２８にホスト機器が接続されていてステップＳ１０８に移行した場合には、制御部２０は、プロジェクタ２を設定モードに移行させてフローを終了する。
【００４７】
設定モードでは、シリアル通信部２８に接続されたホスト機器からプロジェクタ２の記憶部２１に記憶されている各種設定データを変更することが可能になっており、制御部２０は、ホスト機器に対するユーザの操作に応じて設定データの更新を行う。具体的には、制御部２０は、設定モードに移行すると、ホスト機器に対して暗証番号の入力を要求する。そして、ホスト機器が、ユーザによって入力された暗証番号をプロジェクタ２に出力すると、制御部２０は、入力された暗証番号と予め記憶部２１に記憶されている暗証番号とを照合して、両者が一致した場合にのみ設定データの変更を許可する。その後、ユーザがホスト機器に対して所望の設定データを入力し、ホスト機器がこの設定データをプロジェクタ２に出力すると、制御部２０は、記憶部２１に記憶されている設定データを、ホスト機器から入力される設定データに置き換える。
【００４８】
このように、プロジェクタ２を設定モードに移行させることによって設定データを変更できるため、ネットワーク環境が変更になる場合であっても、ネットワーク設定情報や登録ＩＤ等の設定データを、新たなネットワーク環境に応じて変更することが可能であり、プロジェクタ２の利用を継続することができる。また、設定データを変更する際に暗証番号の入力を求めるようにしているため、設定データが第三者によって容易に変更されてしまうことはない。
【００４９】
以上説明したように、本実施形態の画像投写システム１及びプロジェクタ２によれば、以下の効果を得ることができる。
（１）本実施形態によれば、制御部２０が、記憶部２１に記憶されている登録ＩＤを、ネットワーク４を介してサーバ３に出力し、サーバ３による認証結果に基づいてプロジェクタ２の画像の投写を制限するため、ユーザが煩雑な認証操作を行うことなく、プロジェクタ２の使用を制限することが可能となる。
【００５０】
（２）本実施形態によれば、制御部２０は、プロジェクタ２の起動時（オン操作時）に、画像の投写に先立って登録ＩＤをサーバ３に出力し、サーバ３による認証が成立した場合に画像の投写を開始させるため、サーバ３にアクセスできない環境下では、画像の投写を開始させることができない。つまり、プロジェクタ２を使用可能な環境が制限されることになるため、プロジェクタ２の不正使用や盗難を防止することが可能となる。
【００５１】
なお、本実施形態では、記憶部２１に記憶されている登録ＩＤが認証情報に相当し、ステップＳ１０３において登録ＩＤを出力する際の制御部２０が認証情報出力部に相当する。また、ステップＳ１０４において認証が不成立である場合に入力画像の投写を制限する際の制御部２０が投写制御部に相当する。
【００５２】
（変形例）
また、前記実施形態は、以下のように変更してもよい。
【００５３】
前記実施形態では、プロジェクタ２の起動時（オン操作時）にのみ認証を行うようにしているが、プロジェクタ２の動作中（画像の投写中）にも定期若しくは不定期に認証を行うようにして、認証が不成立であった場合に、光源１１を消灯させる等、プロジェクタ２の使用を制限するようにしてもよい。
起動時にのみ認証を行う場合には、起動時に一旦認証を得てしまえばプロジェクタ２の使用環境を変更した場合でも継続的に使用できてしまう可能性が残る。しかし、本変形例によれば、起動時に一度認証を行っても、動作中に定期若しくは不定期に認証を行うため、認証後に使用環境を変更された場合でも、的確に環境変化に適応しプロジェクタ２の使用を制限することができ、プロジェクタ２の不正使用や盗難をより強固に防止することが可能となる。
【００５４】
また、プロジェクタ２の起動時（オン操作時）の認証は行わず、プロジェクタ２の動作中に定期若しくは不定期に認証を行うようにして、認証が不成立であった場合に、光源１１を消灯させる等、プロジェクタ２の使用を制限するようにしてもよい。
プロジェクタ２の不正使用や盗難を防止するには、使用環境のみ確認すればよい考え方もある。本変形例によれば、起動時の認証動作を省き、プロジェクタ２の使用環境を定期若しくは不定期に認証を行うようにしているので、より簡易な動作でかつ的確にプロジェクタ２の使用環境の変化を認識することができ、プロジェクタ２の不正使用や盗難を防止することが可能となる。
【００５５】
前記実施形態では、有線ネットワークを例にして説明しているが、無線ＬＡＮ等の無線ネットワークに適用することも可能である。
【００５６】
前記実施形態では、認証が不成立だった場合に電源オンの状態に移行できないようにしているが、認証不成立時におけるプロジェクタ２の使用制限はこれに限定されない。例えば、電源をオン状態として光源１１を点灯させたうえで、所定の画像（例えば、入力画像を投写できない旨のメッセージ等）を投写するようにしてもよい。ただし、光源１１が点灯した状態のまま放置されたり、繰り返しオン操作がなされたりすることによる光源１１の劣化（寿命の低減）を抑制するために、認証不成立時には光源１１を点灯させないことが望ましい。
【００５７】
前記実施形態では、サーバ３は、プロジェクタ２の個体を識別可能な登録ＩＤに基づいて認証を行うようにしているが、すべてのプロジェクタ２に共通のパスワード等によって認証を行うようにしてもよい。
【００５８】
前記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００５９】
前記実施形態では、光源１１は、放電型の光源ランプ１１ａによって構成されているが、ＬＥＤ光源等の固体光源や、その他の光源を用いることもできる。
【図面の簡単な説明】
【００６０】
【図１】画像投写システムの概略構成を示す説明図。
【図２】プロジェクタの概略構成を示すブロック図。
【図３】サーバの概略構成を示すブロック図。
【図４】オン操作がなされた際のプロジェクタの動作を説明するためのフローチャート。
【図５】サーバの動作を説明するためのフローチャート。
【符号の説明】
【００６１】
１…画像投写システム、２…プロジェクタ、３…サーバ、４…ネットワーク、５…画像出力装置、６…映像ケーブル、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…入力操作部、２３…画像入力部、２４…画像処理部、２５…電源回路、２６…光源制御部、２７…ネットワーク通信部、２８…シリアル通信部、２９…ＬＥＤ表示部、３０…制御部、３１…記憶部、３２…ネットワーク通信部、ＳＣ…スクリーン。
【図１】
2009098482.tif 000003
【図２】
2009098482.tif 000004
【図３】
2009098482.tif 000005
【図４】
2009098482.tif 000006
【図５】
2009098482.tif 000007